(57)【要約】【課題】コネクタの高さをできるだけ低くすること。【解決手段】レセプタクル（コネクタ）に含まれるレセプタクル端子２５０は、第１部位２６０と、第２部位２７０と、それらを連結する連結部２８０とを有している。第１部位２６０は、相手側接点部１６２と接触する接点部２６２と、相手側接点部１６２を接点部２６２にガイドする誘い部２６６とを有している。連結部２８０は、Ｙ方向（第１方向）において接点部２６２とは異なる位置に位置している。これにより、連結部２８０のＹ方向側方には、相手側端子となるプラグ端子１５０の一部を受容して当該一部がＺ方向において連結部２８０と同じ位置に位置することを許容する許容領域２８５が形成される。これにより、十分な有効接触長を確保しつつコネクタの高さを少なくとも連結部２８０の厚みだけ低くすることができる。【選択図】図１２
2015141827.tif 000002
【特許請求の範囲】
【請求項１】
相手側接点部を有する相手側端子を備える相手側コネクタと上下方向に沿って嵌合可能なコネクタであって、
前記コネクタは、対象物に搭載されるものであり、且つ、複数の端子と、前記端子の夫々を少なくとも部分的に収容するハウジングとを備えており、
前記端子は、前記上下方向と直交する第１方向に並べられており、
前記端子の夫々は、接点部及び誘い部を有する第１部位と、前記対象物に固定される第２部位と、前記第１部位と前記第２部位とを連結する連結部とを有しており、
前記接点部は、前記上下方向及び前記第１方向と直交する第２方向において前記第２部位から離れて位置しており、
前記接点部は、前記コネクタが前記相手側コネクタと嵌合した状態において、前記第２方向において前記接点部と前記第２部位との間に位置する前記相手側接点部と接触するものであり、
前記誘い部は、前記接点部の上方に位置しており、且つ、前記コネクタが前記相手側コネクタと嵌合する際に前記上下方向において下方に向かって移動する前記相手側接点部をガイドして前記接点部に接続させるものであり、
前記連結部は、前記第１方向において前記接点部とは異なる位置に位置している
コネクタ。
【請求項２】
請求項１記載のコネクタであって、
前記第１部位と前記第２部位とは、前記第１方向において、同じ位置に位置している
コネクタ。
【請求項３】
請求項２記載のコネクタであって、
前記相手側端子は、被挟持部を有しており、
前記相手側接点部は、前記被挟持部に設けられており、
前記コネクタが前記相手側コネクタと嵌合した状態において、前記第１部位と前記第２部位とは前記被挟持部を挟み込んでいる
コネクタ。
【請求項４】
請求項１乃至請求項３のいずれかに記載のコネクタであって、
前記第１部位は、前記接点部が前記第２方向に移動可能となるように前記接点部を支持する支持部を有している
コネクタ。
【請求項５】
請求項４記載のコネクタであって、
前記誘い部は前記支持部の一部として形成されている
コネクタ。
【請求項６】
請求項１乃至請求項５のいずれかに記載のコネクタであって、
前記連結部は、前記第１部位が少なくとも前記上下方向に移動可能となるように前記第１部位を支持している
コネクタ。
【請求項７】
請求項１乃至請求項６のいずれかに記載のコネクタであって、
前記連結部の本数は１本である
コネクタ。
【請求項８】
請求項１乃至請求項６のいずれかに記載のコネクタであって、
前記連結部の本数は２本である
コネクタ。
【請求項９】
請求項１乃至請求項８のいずれかに記載のコネクタと、前記コネクタと嵌合可能な前記相手側コネクタとを備えるコネクタ対であって、
前記連結部が前記第１方向において前記接点部と異なる位置に位置していることにより、前記第１方向において前記連結部の隣には許容領域が形成されており、
前記コネクタが前記相手側コネクタと嵌合した状態において、前記相手側端子の一部は、前記許容領域に受容され、それによって前記上下方向において前記連結部と同じ位置に位置している
コネクタ対。
【請求項１０】
請求項９記載のコネクタ対であって、
前記相手側コネクタは、相手側対象物に搭載されるものであり、且つ、複数の前記相手側端子と、前記相手側端子の夫々を少なくとも部分的に収容する相手側ハウジングとを備えており、
前記相手側端子の夫々は、前記相手側対象物に固定される被固定部を更に有しており、
前記コネクタが前記相手側コネクタと嵌合した状態において、前記被固定部と前記第２部位とは、前記第１方向において、異なる位置に位置している
コネクタ対。
【請求項１１】
請求項１０記載のコネクタ対であって、
前記被固定部は、前記第１方向において前記相手側接点部とは異なる位置に位置している
コネクタ対。
【請求項１２】
請求項１０又は請求項１１記載のコネクタ対であって、
前記相手側端子は、前記第１方向に並べられており、
前記相手側ハウジングは、前記第１方向において前記相手側端子間に夫々位置する離隔部を有しており、
前記相手側端子の夫々は、前記離隔部よりも前記上下方向において突出している
コネクタ対。
【請求項１３】
請求項１乃至請求項８のいずれかに記載のコネクタと嵌合可能な前記相手側コネクタであって、
前記相手側コネクタは、複数の前記相手側端子と、前記相手側端子の夫々を少なくとも部分的に収容する相手側ハウジングとを備えており、
前記相手側端子は、前記第１方向に並べられており、
前記相手側ハウジングは、前記第１方向において前記相手側端子間に夫々位置する離隔部を有しており、
前記相手側端子の夫々は、前記離隔部よりも前記上下方向において突出している
相手側コネクタ。
【発明の詳細な説明】
【技術分野】
【０００１】
本発明は、基板のような対象物同士を接続するコネクタに関する。
【背景技術】
【０００２】
この種のコネクタを含むコネクタ対としては特許文献１に開示されたものがある。図３１に示されるように、特許文献１のコネクタ対は、基板に固定されたコネクタと、相手側基板に固定された相手側コネクタとを備えている。コネクタは、ハウジングと、ハウジングに保持された複数の端子を備えている。相手側コネクタは、相手側ハウジングと、相手側ハウジングに保持された複数の相手側端子を備えている。コネクタと相手側コネクタとの嵌合状態において、相手側端子の一部はコネクタに挿入されており、接点部が相手側接点部と接続されている。
【先行技術文献】
【特許文献】
【０００３】
【特許文献１】特開２００９−２１７９４３号公報
【発明の概要】
【発明が解決しようとする課題】
【０００４】
本発明は、特許文献１記載のようなコネクタの高さをできるだけ低くすることを目的とする。
【課題を解決するための手段】
【０００５】
本発明は、第１のコネクタとして、
相手側接点部を有する相手側端子を備える相手側コネクタと上下方向に沿って嵌合可能なコネクタであって、
前記コネクタは、対象物に搭載されるものであり、且つ、複数の端子と、前記端子の夫々を少なくとも部分的に収容するハウジングとを備えており、
前記端子は、前記上下方向と直交する第１方向に並べられており、
前記端子の夫々は、接点部及び誘い部を有する第１部位と、前記対象物に固定される第２部位と、前記第１部位と前記第２部位とを連結する連結部とを有しており、
前記接点部は、前記上下方向及び前記第１方向と直交する第２方向において前記第２部位から離れて位置しており、
前記接点部は、前記コネクタが前記相手側コネクタと嵌合した状態において、前記第２方向において前記接点部と前記第２部位との間に位置する前記相手側接点部と接触するものであり、
前記誘い部は、前記接点部の上方に位置しており、且つ、前記コネクタが前記相手側コネクタと嵌合する際に前記上下方向において下方に向かって移動する前記相手側接点部をガイドして前記接点部に接続させるものであり、
前記連結部は、前記第１方向において前記接点部とは異なる位置に位置している
コネクタを提供する。
【０００６】
また、本発明は、第２のコネクタとして、第１のコネクタであって、
前記第１部位と前記第２部位とは、前記第１方向において、同じ位置に位置している
コネクタを提供する。
【０００７】
また、本発明は、第３のコネクタとして、第２のコネクタであって、
前記相手側端子は、被挟持部を有しており、
前記相手側接点部は、前記被挟持部に設けられており、
前記コネクタが前記相手側コネクタと嵌合した状態において、前記第１部位と前記第２部位とは前記被挟持部を挟み込んでいる
コネクタを提供する。
【０００８】
また、本発明は、第４のコネクタとして、第１乃至第３のいずれかのコネクタであって、
前記第１部位は、前記接点部が前記第２方向に移動可能となるように前記接点部を支持する支持部を有している
コネクタを提供する。
【０００９】
また、本発明は、第５のコネクタとして、第４のコネクタであって、
前記誘い部は前記支持部の一部として形成されている
コネクタを提供する。
【００１０】
また、本発明は、第６のコネクタとして、第１乃至第５のいずれかのコネクタであって、
前記連結部は、前記第１部位が少なくとも前記上下方向に移動可能となるように前記第１部位を支持している
コネクタを提供する。
【００１１】
また、本発明は、第７のコネクタとして、第１乃至第６のいずれかのコネクタであって、
前記連結部の本数は１本である
コネクタを提供する。
【００１２】
また、本発明は、第８のコネクタとして、第１乃至第６のいずれかのコネクタであって、
前記連結部の本数は２本である
コネクタを提供する。
【００１３】
また、本発明は、第１のコネクタ対として、
第１乃至第８のいずれかのコネクタと、前記コネクタと嵌合可能な前記相手側コネクタとを備えるコネクタ対であって、
前記連結部が前記第１方向において前記接点部と異なる位置に位置していることにより、前記第１方向において前記連結部の隣には許容領域が形成されており、
前記コネクタが前記相手側コネクタと嵌合した状態において、前記相手側端子の一部は、前記許容領域に受容され、それによって前記上下方向において前記連結部と同じ位置に位置している
コネクタ対を提供する。
【００１４】
また、本発明は、第２のコネクタ対として、第１のコネクタ対であって、
前記相手側コネクタは、相手側対象物に搭載されるものであり、且つ、複数の前記相手側端子と、前記相手側端子の夫々を少なくとも部分的に収容する相手側ハウジングとを備えており、
前記相手側端子の夫々は、前記相手側対象物に固定される被固定部を更に有しており、
前記コネクタが前記相手側コネクタと嵌合した状態において、前記被固定部と前記第２部位とは、前記第１方向において、異なる位置に位置している
コネクタ対を提供する。
【００１５】
また、本発明は、第３のコネクタ対として、第２のコネクタ対であって、
前記被固定部は、前記第１方向において前記相手側接点部とは異なる位置に位置している
コネクタ対を提供する。
【００１６】
また、本発明は、第４のコネクタ対として、第２又は第３のコネクタ対であって、
前記相手側端子は、前記第１方向に並べられており、
前記相手側ハウジングは、前記第１方向において前記相手側端子間に夫々位置する離隔部を有しており、
前記相手側端子の夫々は、前記離隔部よりも前記上下方向において突出している
コネクタ対を提供する。
【００１７】
また、本発明は、第１乃至第８のいずれかのコネクタと嵌合可能な前記相手側コネクタであって、
前記相手側コネクタは、複数の前記相手側端子と、前記相手側端子の夫々を少なくとも部分的に収容する相手側ハウジングとを備えており、
前記相手側端子は、前記第１方向に並べられており、
前記相手側ハウジングは、前記第１方向において前記相手側端子間に夫々位置する離隔部を有しており、
前記相手側端子の夫々は、前記離隔部よりも前記上下方向において突出している
相手側コネクタを提供する。
【発明の効果】
【００１８】
本発明の連結部は第１方向において接点部とは異なる位置に位置している。即ち、連結部は接点部を通り且つ第２方向に延びる仮想的な線と重ならないように設けられている。そのため、第２方向において接点部の前に位置する空間（相手側コンタクトの一部を受け入れる空間）の上下方向の大きさを連結部の分だけ大きくとることができる。換言すると、相手側コンタクトの一部を受け入れる空間を十分に確保しつつ、連結部の分だけコネクタの上下方向の大きさを小さく（即ち、高さを低く）することができる。
【図面の簡単な説明】
【００１９】
【図１】本発明の第１の実施の形態によるプラグを示す斜視図である。
【図２】図１のプラグを示す側面図である。
【図３】図２のプラグをIII--III線に沿って示す断面図である。
【図４】図１のプラグに含まれるプラグ端子を示す斜視図である。
【図５】図４のプラグ端子を示す平面図である。
【図６】本発明の第１の実施の形態によるレセプタクルを示す斜視図である。
【図７】図６のレセプタクルを示す他の斜視図である。
【図８】図６のレセプタクルをVIII--VIII線に沿って示す断面図である。
【図９】図６のレセプタクルに含まれるレセプタクル端子を示す斜視図である。
【図１０】図９のレセプタクル端子を示す他の斜視図である。
【図１１】図９のレセプタクル端子を示す平面図である。
【図１２】図４のプラグ端子と図９のレセプタクル端子の接続状態を示す斜視図である。
【図１３】図４のプラグ端子と図９のレセプタクル端子の接続状態を示す他の斜視図である。
【図１４】図４のプラグ端子と図９のレセプタクル端子の接続状態を示す側面図である。
【図１５】図４のプラグ端子と図９のレセプタクル端子の接続状態を示す平面図である。
【図１６】本発明の第２の実施の形態によるプラグを示す斜視図である。
【図１７】図１６のプラグを示す側面図である。
【図１８】図１７のプラグをXVIII--XVIII線に沿って示す断面図である。
【図１９】図１６プラグに含まれるプラグ端子を示す斜視図である。
【図２０】図１９のプラグ端子を示す平面図である。
【図２１】本発明の第２の実施の形態によるレセプタクルを示す斜視図である。
【図２２】図２１のレセプタクルを示す他の斜視図である。
【図２３】図２１のレセプタクルをXXV--XXV線に沿って示す断面図である。
【図２４】図２１のレセプタクルに含まれるレセプタクル端子を示す斜視図である。
【図２５】図２４のレセプタクル端子を示す他の斜視図である。
【図２６】図２４のレセプタクル端子を示す平面図である。
【図２７】図１９のプラグ端子と図２４のレセプタクル端子の接続状態を示す斜視図である。
【図２８】図１９のプラグ端子と図２４のレセプタクル端子の接続状態を示す他の斜視図である。
【図２９】図１９のプラグ端子と図２４のレセプタクル端子の接続状態を示す側面図である。
【図３０】図１９のプラグ端子と図２４のレセプタクル端子の接続状態を示す平面図である。
【図３１】特許文献１のコネクタ対を示す断面図である。
【発明を実施するための形態】
【００２０】
（第１の実施の形態）
本発明の第１の実施の形態によるコネクタ対は、プラグ１００（相手側コネクタ：図１参照）と、Ｚ方向（上下方向）においてプラグ１００と嵌合可能なレセプタクル２００（コネクタ：図６及び図７参照）とを備えている。本実施の形態のプラグ１００及びレセプタクル２００は、いずれも回路基板やＦＰＣ（Flexible Printed Circuits）などの対象物（図示せず）に搭載されるものである。
【００２１】
図１乃至図３を参照すると、プラグ１００は、絶縁体からなるプラグハウジング（相手側ハウジング）１１０と、導電体からなる複数のプラグ端子（相手側端子）１５０とを備えている。本実施の形態によるプラグハウジング１１０は樹脂からなり、プラグ端子１５０は金属からなる。
【００２２】
図１乃至図３に示されるように、プラグハウジング１１０は、プラグ端子１５０を保持する板状の主部１２０と、２つの位置決め凸部１３０とを有している。位置決め凸部１３０は、Ｙ方向（第１方向）において主部１２０の両端に設けられており、Ｚ方向において−Ｚ方向に突出している。
【００２３】
主部１２０には、プラグ端子１５０が２列に分けられ、保持されている。各列のプラグ端子１５０は、Ｙ方向に並べられている。一方の列のプラグ端子１５０と他方の列のプラグ端子１５０とは、Ｘ方向（第２方向）における中心を通り且つＹ方向に延びる線に対して、線対象となるように設けられている。
【００２４】
図１に示されるように、主部１２０には、複数の離隔部１２２と、複数の位置決め孔１２４が形成されている。各離隔部１２２は、Ｙ方向において隣接するプラグ端子１５０の間に位置している。図１に示されるように、プラグ端子１５０は、離隔部１２２よりも−Ｚ側に突出している。即ち、プラグ端子１５０は、Ｚ方向において離隔部１２２よりも突出している。位置決め孔１２４は、プラグ端子１５０に夫々対応している。各位置決め孔１２４は、Ｘ方向において、対応するプラグ端子１５０の内側に位置している。プラグ端子１５０は、対応する位置決め孔１２４内において少なくとも部分的に露出している。即ち、本実施の形態においては、位置決め孔１２４内においてプラグ端子１５０と電気的に接続可能となっている。
【００２５】
図４及び図５に示されるように、プラグ端子１５０は、略Ｃ字状の断面を有する被挟持部１６０と回路基板（図示せず）に固定される被固定部１７０とを有している。被挟持部１６０には相手側接点部１６２が設けられている。相手側接点部１６２は、被挟持部１６０の外表面上に位置しており、プラグ端子１５０がプラグハウジング１１０に保持された状態において、プラグ端子１５０に対応する位置決め孔１２４内に面している（図３参照）。即ち、相手側接点部１６２には、位置決め孔１２４内において接触可能である。図５に最も良く示されているように、本実施の形態のプラグ端子１５０の相手側接点部１６２は、Ｙ方向において被固定部１７０とは異なる位置に位置している。換言すると、被固定部１７０は、相手側接点部１６２を通り且つＸ方向に延びる仮想的な線と重ならないように設けられている。図１に示されるように、各プラグ端子１５０は、被固定部１７０がＸ方向において外側に向かって延びるように、プラグハウジング１１０の主部１２０に保持されている。図１乃至図３から理解されるように、本実施の形態によるプラグ端子１５０は、プラグハウジング１１０の成型時にインサートモールド法によりプラグハウジング１１０に組み込まれている。
【００２６】
図６乃至図８を参照すると、レセプタクル２００は、絶縁体からなるレセプタクルハウジング（ハウジング）２１０と、導電体からなる複数のレセプタクル端子（端子）２５０とを備えている。本実施の形態によるレセプタクルハウジング２１０は樹脂からなり、レセプタクル端子２５０は金属からなる。
【００２７】
図６乃至図８に示されるように、レセプタクルハウジング２１０は、レセプタクル端子２５０を保持する板状の主部２２０と、２つの位置決め凹部２４０とを有している。位置決め凹部２４０は、Ｙ方向において主部２２０の両端に設けられており、Ｚ方向においてレセプタクルハウジング２１０を貫通している。位置決め凹部２４０は、上述した位置決め凸部１３０（図１参照）に夫々対応しており、プラグ１００をレセプタクル２００に対して嵌合する際に、対応する位置決め凸部１３０を受容する。なお、位置決め凹部２４０は、対応する位置決め凸部１３０を受容可能なものであれば、レセプタクルハウジング２１０を貫通していなくてもよい。
【００２８】
主部２２０は、薄板部２２２と、Ｘ方向において薄板部２２２の両脇に位置する側部２２６とを有している。薄板部２２２は、主部２２０の中央を占めている。薄板部２２２には、複数の位置決め突起２２４が設けられている。各位置決め突起２２４は、＋Ｚ方向に突出している。位置決め突起２２４は、プラグハウジング１１０の位置決め孔１２４（図１参照）と夫々対応している。プラグ１００をレセプタクル２００に嵌合する際に、位置決め突起２２４はレセプタクル端子２５０の一部（後述）と共に対応する位置決め孔１２４に受容される。
【００２９】
本実施の形態による側部２２６は２つあり、夫々、Ｙ方向に延びる角棒状の形状を有している。図７及び図８に示されるように、側部２２６の底面（−Ｚ側の面）は、薄板部２２２の底面（−Ｚ側の面）よりも上方（＋Ｚ側）に位置している。そのため、側部２２６の下方（−Ｚ側）には、スペース２２８が形成されている。本実施の形態において、側部２２６の上面（＋Ｚ側の面）は、薄板部２２２の上面（＋Ｚ側の面）よりも上方（＋Ｚ側）に位置している。即ち、レセプタクル２００を上側（＋Ｚ側）から見ると、薄板部２２２は側部２２６よりも凹んでいる。プラグ１００（図１参照）をレセプタクル２００に嵌合する際には、この凹みにプラグ１００の主部１２０が受容される。即ち、プラグ１００をレセプタクル２００に嵌合した状態においては、プラグ１００の主部１２０は、Ｘ方向においてレセプタクル２００の側部２２６間に位置している。
【００３０】
主部２２０には、薄板部２２２及び側部２２６に亘る受容部２３０が複数形成されている。受容部２３０は、レセプタクル端子２５０に夫々対応しており、対応するレセプタクル端子２５０を部分的に受容している。
【００３１】
図８乃至図１１に示されるように、レセプタクル端子２５０は、第１部位２６０及び第２部位２７０と、第１部位２６０と第２部位２７０とを連結する連結部２８０とを有している。
【００３２】
第１部位２６０は、接点部２６２と、弾性を有し且つ接点部２６２を支持する支持部２６４とを有している。支持部２６４の支持により、接点部２６２はＸ方向成分を有するように移動可能である。換言すると、支持部２６４は、接点部２６２が少なくともＸ方向に移動可能となるように接点部２６２を支持している。接点部２６２は、Ｘ方向において、第２部位２７０から離れて位置していると共に第２部位２７０側（図９に示されたレセプタクル端子２５０においては−Ｘ側）に向いている。支持部２６４の一部には、Ｚ方向及びＸ方向と交差する面を有する誘い部２６６が設けられている。誘い部２６６は、接点部２６２の＋Ｚ側（上方）に位置しており、プラグ１００（図３参照）をレセプタクル２００に嵌合する際にレセプタクル２００に対して相対的に−Ｚ方向（下方）に移動する相手側接点部１６２をガイドして相手側接点部１６２を接点部２６２に接続させる。本実施の形態において、第１部位２６０の接点部２６２から遠い方の端部は二股に分かれている。
【００３３】
第２部位２７０は、レセプタクルハウジング２１０に圧入される圧入部２７２と、対象物たる回路基板（図示せず）に半田付け実装され固定される被実装部２７４とを有している。本実施の形態において、第２部位２７０の被実装部２７４から遠い方の端部は二股に分かれている。
【００３４】
図１１に最も良く示されるように、本実施の形態において、第１部位２６０と第２部位２７０とはＹ方向において同じ位置に位置している。詳しくは、接点部２６２と被実装部２７４とはＹ方向において同じ位置に位置している。特に、接点部２６２のＹ方向中心は、被実装部２７４のＹ方向中心と一致している。
【００３５】
本実施の形態において連結部２８０の本数は２本である。各連結部２８０は、第１部位２６０の二股の端部の一方と、第２部位２７０の二股の端部の一方を連結している。これにより、連結部２８０と第１部位２６０及び第２部位２７０とは、許容領域２８５を形成している。本実施の形態の許容領域２８５は、ＸＹ平面内においてＸ方向に延びる細長い形状を有している。この許容領域２８５は、後述するように、プラグ１００（図３参照）をレセプタクル２００（図８参照）に嵌合した状態において、プラグ端子１５０の一部を受容し当該一部がＺ方向において連結部２８０と同じ位置に位置することを許容する。
【００３６】
図１１に最も良く示されるように、連結部２８０は、Ｙ方向において接点部２６２とは異なる位置に位置している。換言すると、連結部２８０は、接点部２６２を通り且つＸ方向に延びる仮想的な線とは重ならないように設けられている。
【００３７】
図６乃至図８から理解されるように、受容部２３０にレセプタクル端子２５０が部分的に受容され、圧入部２７２がレセプタクルハウジング２１０の主部２２０の側部２２６に圧入された状態において、接点部２６２及び誘い部２６６は、Ｙ方向において、対応する位置決め突起２２４と隣接配置されている。これらの接点部２６２、誘い部２６６及び位置決め突起２２４は、プラグ１００をレセプタクル２００に嵌合する際に、位置決め孔１２４に挿入される。それにより、被挟持部１６０が第１部位２６０と第２部位２７０との間に挟み込まれ、接点部２６２は位置決め孔１２４内において相手側接点部１６２と接触する。即ち、プラグ１００がレセプタクル２００に嵌合した状態において、Ｘ方向において、相手側接点部１６２が接点部２６２と第２部位２７０との間に位置しており、そこにおいて接点部２６２と接触する。
【００３８】
図６乃至図８に示されるように、レセプタクル端子２５０がレセプタクルハウジング２１０に保持された状態において、被実装部２７４はスペース２２８内に位置している。即ち、被実装部２７４は、側部２２６の下側（−Ｚ側）に位置している。また、図８から理解されるように、レセプタクル端子２５０がレセプタクルハウジング２１０に保持された状態において、連結部２８０は被実装部２７４よりも少しだけ上側（＋Ｚ側）に位置している。そのため、連結部２８０は変形可能であり、第１部位２６０はＺ方向に移動可能となっている。但し、本発明はこれに限定されるわけではなく、被実装部２７４と連結部２８０とを同一ＸＹ平面内に配することとしてもよい。即ち、レセプタクル２００を回路基板（図示せず）に搭載して被実装部２７４を回路基板上に固定した際に、連結部２８０を回路基板と接触させることとしてもよい。
【００３９】
また、図６及び図８に示されるように、本実施の形態において、レセプタクル端子２５０の第２部位２７０は、側部２２６から＋Ｚ側（上方）に突出している。換言すると、側部２２６上には、Ｙ方向において２つの第２部位２７０に挟まれた空間がある。
【００４０】
図１１に最も良く示されているように、接点部２６２と第２部位２７０との間には許容領域２８５が形成されており、そこには連結部２８０が設けられていない。そのため、図１２乃至図１５から理解されるように、プラグ端子１５０とレセプタクル端子２５０との接続時（即ち、プラグ１００とレセプタクル２００との嵌合時）において、プラグ端子１５０の一部が許容領域２８５内に位置する（即ち、Ｚ方向において連結部２８０と同じ位置に位置する）まで、プラグ１００とレセプタクル２００に深く嵌合することができる。これにより、被挟持部１６０の高さを高くする（Ｚ方向におけるサイズを大きくする）ことができ、従って、接点部２６２がプラグ端子１５０上を相対的にスライドする距離（即ち、有効接触長）を長くとることができる。即ち、本実施の形態においては、レセプタクル２００とプラグ１００の高さを低くしつつ、十分な有効接触長を確保することができる。
【００４１】
特に、図１５から理解されるように、被固定部１７０と被実装部２７４とはＹ方向において異なる位置に位置している。即ち、プラグ１００をレセプタクル２００に嵌合した状態を上方（＋Ｚ側）から透視した場合に、被固定部１７０と被実装部２７４とは互いに重ならないように設けられている。また、図６に示されるように、第２部位２７０は側部２２６からＺ方向に突出しており、且つ、Ｙ方向において第２部位２７０同士に挟まれたところには、被固定部１７０が位置し得る空間がある。そのため、図１４に示されるように、プラグ１００をレセプタクル２００に嵌合した状態において、被固定部１７０は、第２部位２７０の一部とＹ方向において並んで位置することができる。換言すると、Ｚ方向において、被固定部１７０は第２部位２７０の一部と重なる位置に位置することができる。そのため、本実施の形態によれば、プラグ１００をレセプタクル２００に嵌合した状態におけるコネクタ対全体のＺ方向のサイズを更に小さくすることができる。
【００４２】
なお、本実施の形態において、被実装部２７４はＹ方向において接点部２６２と同位置に位置していたが、本発明はこれに限定されるわけではない。例えば、Ｙ方向において被実装部２７４が連結部２８０の一方と同じ位置に位置していてもよい。
【００４３】
（第２の実施の形態）
本発明の第２の実施の形態によるコネクタ対は、プラグ１００Ａ（相手側コネクタ：図１６参照）と、Ｚ方向（上下方向）においてプラグ１００Ａと嵌合可能なレセプタクル２００Ａ（コネクタ：図２１及び図２２参照）とを備えている。上述した第１の実施の形態のコネクタ対と同様に、本実施の形態のプラグ１００Ａ及びレセプタクル２００Ａは、いずれも回路基板やＦＰＣ（Flexible Printed Circuits）などの対象物（図示せず）に搭載されるものである。
【００４４】
図１６乃至図１８を参照すると、プラグ１００Ａは、絶縁体からなるプラグハウジング（相手側ハウジング）１１０Ａと、導電体からなる複数のプラグ端子（相手側端子）１５０Ａとを備えている。本実施の形態によるプラグハウジング１１０Ａは樹脂からなり、プラグ端子１５０Ａは金属からなる。
【００４５】
図１６乃至図１８に示されるように、プラグハウジング１１０Ａは、プラグ端子１５０Ａを保持する板状の主部１２０Ａを有している。
【００４６】
主部１２０Ａには、プラグ端子１５０Ａが２列に分けられ、保持されている。各列のプラグ端子１５０Ａは、Ｙ方向に並べられている。一方の列のプラグ端子１５０Ａと他方の列のプラグ端子１５０Ａとは、Ｘ方向（第２方向）において互いに一対一に対応付けられており、対応付けられたプラグ端子１５０Ａ同士は、両者から等距離にある点に対して点対称となるように設けられている。
【００４７】
図１６に示されるように、主部１２０Ａには、複数の離隔部１２２Ａと、複数の位置決め孔１２４Ａが形成されている。各離隔部１２２Ａは、Ｙ方向において隣接するプラグ端子１５０の間に位置している。図１７に示されるように、プラグ端子１５０Ａは、離隔部１２２Ａよりも−Ｚ側に突出している。即ち、プラグ端子１５０Ａは、Ｚ方向において離隔部１２２Ａよりも突出している。第１の実施の形態と異なり、位置決め孔１２４Ａは、Ｘ方向において対応する２つのプラグ端子１５０Ａに共通するように１つずつ設けられている。そのため、位置決め孔１２４Ａの数は、プラグ端子１５０Ａの総数の半分となっている。各位置決め孔１２４Ａは、Ｘ方向において、対応する２つのプラグ端子１５０Ａの間に位置している。プラグ端子１５０Ａは、対応する位置決め孔１２４Ａ内において少なくとも部分的に露出している。即ち、本実施の形態においては、位置決め孔１２４Ａ内においてプラグ端子１５０Ａと電気的に接続可能となっている。
【００４８】
図１９及び図２０に示されるように、プラグ端子１５０Ａは、略Ｃ字状の断面を有する被挟持部１６０Ａと回路基板（図示せず）に固定される被固定部１７０Ａとを有している。被挟持部１６０Ａには相手側接点部１６２Ａが設けられている。相手側接点部１６２Ａは、被挟持部１６０Ａの外表面上に位置しており、プラグ端子１５０Ａがプラグハウジング１１０Ａに保持された状態において、プラグ端子１５０Ａに対応する位置決め孔１２４Ａ内に面している（図１８参照）。即ち、相手側接点部１６２Ａには、位置決め孔１２４Ａ内において接触可能である。図２０に最も良く示されているように、本実施の形態のプラグ端子１５０Ａの相手側接点部１６２Ａは、Ｙ方向において被固定部１７０Ａとは異なる位置に位置している。換言すると、被固定部１７０Ａは、相手側接点部１６２Ａを通り且つＸ方向に延びる仮想的な線と重ならないように設けられている。図１６に示されるように、各プラグ端子１５０Ａは、被固定部１７０ＡがＸ方向において外側に向かって延びるように、プラグハウジング１１０Ａの主部１２０Ａに保持されている。図１６乃至図１７から理解されるように、本実施の形態によるプラグ端子１５０Ａは、プラグハウジング１１０Ａの成型時にインサートモールド法によりプラグハウジング１１０Ａに組み込まれている。
【００４９】
図２１乃至図２３を参照すると、レセプタクル２００Ａは、絶縁体からなるレセプタクルハウジング（ハウジング）２１０Ａと、導電体からなる複数のレセプタクル端子（端子）２５０Ａとを備えている。本実施の形態によるレセプタクルハウジング２１０Ａは樹脂からなり、レセプタクル端子２５０Ａは金属からなる。
【００５０】
図２１乃至図２３に示されるように、レセプタクルハウジング２１０Ａは、レセプタクル端子２５０Ａを保持する板状の主部２２０Ａを有している。主部２２０Ａは、薄板部２２２Ａと、Ｘ方向において薄板部２２２Ａの両脇に位置する側部２２６Ａとを有している。薄板部２２２Ａは、主部２２０Ａの中央を占めている。薄板部２２２Ａには、複数の位置決め突起２２４Ａが設けられている。各位置決め突起２２４Ａは、＋Ｚ方向に突出している。本実施の形態による位置決め突起２２４Ａは、＋Ｚ側（上側）から見た場合に、Ｈ字状の形状を有している。即ち、各位置決め突起２２４Ａは、Ｘ方向に沿って内側に凹んだ溝を２つ有している。位置決め突起２２４Ａは、プラグハウジング１１０Ａの位置決め孔１２４Ａ（図１８参照）と夫々対応している。即ち、位置決め突起２２４Ａの総数はレセプタクル端子２５０Ａの総数の２分の１である。プラグ１００Ａをレセプタクル２００Ａに嵌合する際に、位置決め突起２２４Ａはレセプタクル端子２５０Ａの一部（後述）と共に対応する位置決め孔１２４Ａに受容される。
【００５１】
本実施の形態による側部２２６Ａは２つあり、夫々、Ｙ方向に延びる角棒状の形状を有している。図２２及び図２３に示されるように、側部２２６Ａの底面（−Ｚ側の面）は、薄板部２２２Ａの底面（−Ｚ側の面）よりも上方（＋Ｚ側）に位置している。そのため、側部２２６Ａの下方（−Ｚ側）には、スペース２２８Ａが形成されている。本実施の形態において、側部２２６Ａの上面（＋Ｚ側の面）は、薄板部２２２Ａの上面（＋Ｚ側の面）よりも上方（＋Ｚ側）に位置している。即ち、レセプタクル２００Ａを上側（＋Ｚ側）から見ると、薄板部２２２Ａは側部２２６Ａよりも凹んでいる。プラグ１００Ａ（図１８参照）をレセプタクル２００Ａに嵌合する際には、この凹みにプラグ１００Ａの主部１２０Ａが受容される。即ち、プラグ１００Ａをレセプタクル２００Ａに嵌合した状態においては、プラグ１００Ａの主部１２０Ａは、Ｘ方向においてレセプタクル２００Ａの側部２２６間に位置している。
【００５２】
主部２２０Ａには、薄板部２２２Ａ及び側部２２６Ａに亘る受容部２３０Ａが複数形成されている。本実施の形態による受容部２３０Ａは、前述の位置決め突起２２４Ａに形成された溝を含んでいる。受容部２３０Ａは、レセプタクル端子２５０Ａに夫々対応しており、対応するレセプタクル端子２５０Ａを部分的に受容している。この際、レセプタクル端子２５０Ａの一部は位置決め突起２２４Ａに形成された溝内に位置することとなる。
【００５３】
図２３乃至図２６に示されるように、レセプタクル端子２５０Ａは、第１部位２６０Ａ及び第２部位２７０Ａと、第１部位２６０Ａと第２部位２７０Ａとを連結する連結部２８０Ａとを有している。
【００５４】
図２３乃至図２６に示されるように、第１部位２６０Ａは、接点部２６２Ａと、弾性を有し且つ接点部２６２Ａを支持する支持部２６４Ａとを有している。支持部２６４Ａの支持により、接点部２６２ＡはＸ方向成分を有するように移動可能である。換言すると、支持部２６４Ａは、接点部２６２Ａが少なくともＸ方向に移動可能となるように接点部２６２Ａを支持している。接点部２６２Ａは、Ｘ方向において、第２部位２７０Ａから離れて位置していると共に第２部位２７０Ａ側（図２４に示されたレセプタクル端子２５０Ａにおいては−Ｘ側）に向いている。支持部２６４Ａの一部には、Ｚ方向及びＸ方向と交差する面を有する誘い部２６６Ａが設けられている。誘い部２６６Ａは、接点部２６２Ａの＋Ｚ側（上方）に位置しており、プラグ１００Ａ（図１８参照）をレセプタクル２００Ａに嵌合する際にレセプタクル２００Ａに対して相対的に−Ｚ方向（下方）に移動する相手側接点部１６２Ａをガイドして相手側接点部１６２Ａを接点部２６２Ａに接続させる。図２４乃至図２６に示されたレセプタクル端子２５０Ａにおいて、第１部位２６０Ａの接点部２６２Ａから遠い方の端部は、−Ｙ方向に延びている。
【００５５】
図２３乃至図２６に示されるように、第２部位２７０Ａは、対象物たる回路基板（図示せず）に半田付け実装され固定される被実装部２７４Ａを有している。図２４乃至図２６に示されたレセプタクル端子２５０Ａにおいて、第２部位２７０Ａの被実装部２７４Ａから遠い方の端部は−Ｙ方向に延びている。
【００５６】
図２６に最も良く示されるように、本実施の形態において、第１部位２６０Ａと第２部位２７０ＡとはＹ方向において同じ位置に位置している。詳しくは、接点部２６２Ａと被実装部２７４ＡとはＹ方向において同じ位置に位置している。特に、接点部２６２ＡのＹ方向中心は、被実装部２７４ＡのＹ方向中心と一致している。
【００５７】
本実施の形態において連結部２８０Ａの本数は１本である。連結部２８０Ａは、第１部位２６０Ａの端部と、第２部位２７０Ａの端部を連結している。これにより、Ｙ方向において、連結部２８０Ａの横（具体的には、図２３乃至図２６に示されたレセプタクル端子２５０Ａにおいては＋Ｙ側）には許容領域２８５Ａが形成されている。許容領域２８５Ａは、Ｘ方向において、第１部位２６０Ａと第２部位２７０Ａとに挟まれている。この許容領域２８５Ａは、後述するように、プラグ１００Ａ（図１８参照）をレセプタクル２００Ａ（図２３参照）に嵌合した状態において、プラグ端子１５０Ａの一部を受容し当該一部がＺ方向において連結部２８０Ａと同じ位置に位置することを許容する。
【００５８】
図２６に最も良く示されるように、連結部２８０Ａは、Ｙ方向において接点部２６２Ａとは異なる位置に位置している。換言すると、連結部２８０Ａは、接点部２６２Ａを通り且つＸ方向に延びる仮想的な線とは重ならないように設けられている。
【００５９】
図２１及び図２３から理解されるように、受容部２３０Ａにレセプタクル端子２５０Ａが部分的に受容された状態において、第１部位２６０Ａは部分的に位置決め突起２２４Ａの溝内に位置している。これにより、接点部２６２Ａ、誘い部２６６Ａ及び位置決め突起２２４Ａは、プラグ１００Ａをレセプタクル２００Ａに嵌合する際に、ひとまとまりとなって位置決め孔１２４Ａに挿入される（図１８参照）。それにより、被挟持部１６０Ａが第１部位２６０Ａと第２部位２７０Ａとの間に挟み込まれ、接点部２６２Ａは受容部２３０Ａ内において相手側接点部１６２Ａと接触する。即ち、プラグ１００Ａがレセプタクル２００Ａに嵌合した状態において、Ｘ方向において、相手側接点部１６２Ａは接点部２６２Ａと第２部位２７０Ａとの間に位置していると共に接点部２６２Ａと接触する。
【００６０】
図２１乃至図２３に示されるように、レセプタクル端子２５０Ａがレセプタクルハウジング２１０Ａに保持された状態において、被実装部２７４Ａはスペース２２８Ａ内に位置している。即ち、被実装部２７４Ａは、側部２２６Ａの下側（−Ｚ側）に位置している。また、図２３から理解されるように、レセプタクル端子２５０Ａがレセプタクルハウジング２１０Ａに保持された状態において、連結部２８０Ａは被実装部２７４Ａよりも少しだけ上側（＋Ｚ側）に位置している。そのため、連結部２８０Ａは変形可能であり、第１部位２６０ＡはＺ方向に移動可能となっている。但し、本発明はこれに限定されるわけではなく、被実装部２７４Ａと連結部２８０Ａとを同一ＸＹ平面内に配することとしてもよい。即ち、レセプタクル２００Ａを回路基板（図示せず）に搭載して被実装部２７４Ａを回路基板上に固定した際に、連結部２８０Ａを回路基板と接触させることとしてもよい。
【００６１】
また、図２１及び図２３に示されるように、本実施の形態において、レセプタクル端子２５０Ａの第２部位２７０Ａは、側部２２６Ａから＋Ｚ側（上方）に突出している。換言すると、側部２２６Ａ上には、Ｙ方向において２つの第２部位２７０Ａに挟まれた空間がある。
【００６２】
図２６に最も良く示されているように、接点部２６２Ａと第２部位２７０Ａとの間には許容領域２８５Ａが形成されており、そこには連結部２８０Ａが設けられていない。そのため、図２７乃至図３０から理解されるように、プラグ端子１５０Ａとレセプタクル端子２５０Ａとの接続時（即ち、プラグ１００Ａとレセプタクル２００Ａとの嵌合時）において、プラグ端子１５０Ａの一部が許容領域２８５Ａ内に位置する（即ち、Ｚ方向において連結部２８０Ａと同じ位置に位置する）まで、プラグ１００Ａとレセプタクル２００Ａに深く嵌合することができる。これにより、被挟持部１６０Ａの高さを高くする（Ｚ方向におけるサイズを大きくする）ことができ、従って、有効接触長を長くとることができる。即ち、本実施の形態においては、レセプタクル２００Ａとプラグ１００Ａの高さを低くしつつ、十分な有効接触長を確保することができる。
【００６３】
特に、図３０から理解されるように、被固定部１７０Ａと被実装部２７４ＡとはＹ方向において異なる位置に位置している。即ち、プラグ１００Ａをレセプタクル２００Ａに嵌合した状態を上方（＋Ｚ側）から透視した場合に、被固定部１７０Ａと被実装部２７４Ａとは互いに重ならないように設けられている。また上述したように、Ｙ方向において、側部２２６Ａ（図２３参照）からＺ方向に突出している第２部位２７０Ａ同士の間には、被固定部１７０Ａが位置し得る空間がある。そのため、図２９に示されるように、プラグ１００Ａをレセプタクル２００Ａに嵌合した状態において、被固定部１７０Ａは、第２部位２７０Ａの一部とＹ方向において並んで位置することができる。換言すると、Ｚ方向において、被固定部１７０Ａは第２部位２７０Ａの一部と重なる位置に位置することができる。そのため、本実施の形態によれば、プラグ１００Ａをレセプタクル２００Ａに嵌合した状態におけるコネクタ対全体のＺ方向のサイズを更に小さくすることができる。
【００６４】
なお、本実施の形態において、被実装部２７４ＡはＹ方向において接点部２６２Ａと同位置に位置していたが、本発明はこれに限定されるわけではない。例えば、Ｙ方向において被実装部２７４Ａが連結部２８０と同じ位置に位置していてもよい。
【００６５】
以上、本発明について実施の形態を掲げて具体的に説明してきたが、本発明はこれに限定されるものではない。
【００６６】
例えば、上述した実施の形態において、プラグ１００とレセプタクル２００の嵌合状態においてレセプタクル端子２５０，２５０Ａによって挟まれていた部分（即ち、被挟持部１６０，１６０Ａ）は、プラグ端子１５０，１５０Ａの一部のみで構成されていたが、プラグハウジングの一部にプラグ端子を部分的に露出させた状態又はプラグ端子を取り付けた状態でそれらが一体としてレセプタクル端子２５０，２５０Ａに挟まれることとしてもよい。即ち、レセプタクル端子２５０，２５０Ａに挟み込まれる部分をプラグ端子の一部とプラグハウジングの一部のような絶縁体とで形成することとしてもよい。また、上述した実施の形態において、被挟持部１６０，１６０Ａは、レセプタクル端子２５０，２５０Ａのみよって挟まれていたが、レセプタクル端子の一部とレセプタクルハウジングの一部のような絶縁体とで挟むこととしてもよい。更に、それらを組み合わせることとしてもよい。
【符号の説明】
【００６７】
１００，１００Ａ        プラグ（相手側コネクタ）
１１０，１１０Ａ        プラグハウジング（相手側ハウジング）
１２０，１２０Ａ        主部
１２２，１２２Ａ        離隔部
１２４，１２４Ａ        位置決め孔
１３０        位置決め凸部
１５０，１５０Ａ        プラグ端子（相手側端子）
１６０，１６０Ａ        被挟持部
１６２，１６２Ａ        相手側接点部
１７０，１７０Ａ        被固定部
２００，２００Ａ        レセプタクル（コネクタ）
２１０，２１０Ａ        レセプタクルハウジング（ハウジング）
２２０，２２０Ａ        主部
２２２，２２２Ａ        薄板部
２２４，２２４Ａ        位置決め突起
２２６，２２６Ａ        側部
２２８，２２８Ａ        スペース
２３０，２３０Ａ        受容部
２４０        位置決め凹部
２５０，２５０Ａ        レセプタクル端子（端子）
２６０，２６０Ａ        第１部位
２６２，２６２Ａ        接点部
２６４，２６４Ａ        支持部
２６６，２６６Ａ        誘い部
２７０，２７０Ａ        第２部位
２７２        圧入部
２７４，２７４Ａ        被実装部
２８０，２８０Ａ        連結部
２８５，２８５Ａ        許容領域
【図１】
2015141827.tif 000003
【図２】
2015141827.tif 000004
【図３】
2015141827.tif 000005
【図４】
2015141827.tif 000006
【図５】
2015141827.tif 000007
【図６】
2015141827.tif 000008
【図７】
2015141827.tif 000009
【図８】
2015141827.tif 000010
【図９】
2015141827.tif 000011
【図１０】
2015141827.tif 000012
【図１１】
2015141827.tif 000013
【図１２】
2015141827.tif 000014
【図１３】
2015141827.tif 000015
【図１４】
2015141827.tif 000016
【図１５】
2015141827.tif 000017
【図１６】
2015141827.tif 000018
【図１７】
2015141827.tif 000019
【図１８】
2015141827.tif 000020
【図１９】
2015141827.tif 000021
【図２０】
2015141827.tif 000022
【図２１】
2015141827.tif 000023
【図２２】
2015141827.tif 000024
【図２３】
2015141827.tif 000025
【図２４】
2015141827.tif 000026
【図２５】
2015141827.tif 000027
【図２６】
2015141827.tif 000028
【図２７】
2015141827.tif 000029
【図２８】
2015141827.tif 000030
【図２９】
2015141827.tif 000031
【図３０】
2015141827.tif 000032
【図３１】
2015141827.tif 000033